(57)【要約】【目的】本発明は、今までにない外観を呈し、かつ防水機能、断熱機能、結露防止機能、雪止め機能の強化、等を形成した屋根材に係るものである。【構成】幅方向の側端縁に雄雌連結構造を形成した落とし込み構造の金属製屋根材Ｂの化粧面４の水下側の先端を上方に突出して垂直片６を形成すると共に、先端を水上側に屈曲した屋根材Ａである。【選択図】        図１
2004225257.tif 000002
【特許請求の範囲】
【請求項１】
幅方向の側端縁に落とし込み構造の雄雌連結構造を形成した金属製屋根材の化粧面の水下側の先端を上方に突出して垂直片を形成すると共に、先端を水上側に屈曲したことを特徴とする屋根材。
【発明の詳細な説明】
【０００１】
【発明の属する技術分野】
本発明は、今までにない外観を呈し、かつ防水機能、断熱機能、結露防止機能、雪止め機能の強化、等を形成した屋根材に係るものである。
【０００２】
【従来の技術】
従来、屋根は耐振性、強度、施工性、重量の関係で、金属製屋根材が注目を浴びてきた。しかしながら、金属製屋根材は意匠性に乏しく、また、凹凸が大きい瓦屋根のような屋根材に比べて、屋根に積もった雪が簡単に軒下に落下する危険性があり、屋根材本体に雪止め機能を付加した屋根材を使用した屋根構造が開発されている。（例えば、特許文献１、２参照）。
【０００３】
【特許文献１】
特開２００１−００３５２４号公報
【特許文献２】
特開２００２−１２１８６８号公報
【０００４】
【発明が解決しようとする課題】
しかしながら、この種構造では、下段の屋根材に上段の屋根材を施工する際に、上段の屋根材に折り曲げ加工を施して屋根材を施工するものであった。このために、▲１▼施工性が悪い、▲２▼施工が難しい、▲３▼施工を確実にしないと雨漏れの原因になる、▲４▼屋根材表面に傷が付く、等の欠点があった。
【０００５】
【課題を解決するための手段】
本発明はこのような欠点を解決するために、幅方向の側端縁に落とし込み構造の雄雌連結構造を形成した金属製屋根材の化粧面の水下側の先端を上方に突出して垂直片を形成すると共に、先端を水上側に屈曲した屋根材を提供するものである。
【０００６】
【発明の実施の形態】
以下に図面を用いて本発明に係る屋根材について詳細に説明する。図１は金属製屋根材Ｂと裏打材Ｃよりなる屋根材Ａの代表的一例を示す説明図、図２は屋根材Ａの施工状態を示す説明図、図３（ａ）、（ｂ）はジョイナＤ（Ｅはパッキング材）とその施工状態を示す説明図である。図中、αは下地、βは釘等の固定具を示している。なお、図３（ｂ）は図３（ａ）のａ−ａ部端面図である。
【０００７】
下地αは、新築の際は図３（ａ）、（ｂ）に示すように垂木１、野地板２、防水シート３（一点鎖線で示す）から構成した木造下地を示したものである。すなわち、垂木１上に野地板２を敷設し、野地板２上に防水シート３を配設した一般的な構造の下地αである。また、下地αとしてＨ形鋼、Ｉ形鋼、ミゾ形鋼、軽量ミゾ形鋼、リップ溝形鋼、等辺山形鋼、不等辺山形鋼、角形鋼（角パイプ）、円形鋼（円形パイプ）、等を使用した鉄骨下地でも良いものである。勿論、既存の屋根をそのまま改修する屋根の際には、これら下地α上に新生瓦や瓦棒等の既存屋根（図示せず）が形成された既存屋根構造が下地αとなるものである。勿論、防水シート３を形成しない下地αでも良いものである。
【０００８】
金属製屋根材Ｂは、例えば金属板（カラー鋼板、銅板、アルミニウム板、チタン板、ステンレス板、サンドイッチ鋼板、クラッド鋼板等）等をロール成形、プレス成形、押出成形、等によって形成したものである。勿論、屋根材Ａの表面材として、金属製屋根材Ｂの代わりに窯業系素材、もしくは合成樹脂材（プラスチック）、等で形成してもよいものである。
【０００９】
さらに説明すると、金属製屋根材Ｂは長尺板状であり、図１に示すように、略水平面状の化粧面４と、裏面５と、化粧面４の水下側端部を上方に突出した垂直片６と、垂直片６の先端を水上側に屈曲した突出片４ａと、下側、すなわち、裏面５側に水下側に開口するように略Ｕ字状に屈曲して差込縁７を形成し、化粧面４と段差化粧面６と差込縁７とから略コ字状の係合溝８を形成して雄型連結部９としたものである。
【００１０】
また、図１に示すように、化粧面４の水上側端部には化粧面４の先端を水下側に屈曲して断面略Ｕ字状に形成した前記差込縁７と嵌合する嵌合溝１０と、化粧面４の先端を上方に屈曲して形成した係合兼防水片１１と、嵌合溝１０の下縁を水上側に突出した係合溝８に係合される係合兼防水片１１と、嵌合溝１０の下縁をさらに突出した固定片１２と、固定片１２の先端を上方に突出した防水片１３を形成し雌型連結部１４を形成したものである。また、化粧面４の端部には図３（ｂ）に示すような係止片１５を形成し、図３（ａ）に示すジョイナＤの係合片１６に係止することにより屋根材Ａを下地α上に固定するものである。
【００１１】
裏打材Ｃは防水材、断熱材、吸音材、緩衝材、防火材、結露防止材、等として機能するものであり、不織布、合成樹脂製発泡シート（架橋化発泡ポリエチレンシート、等）、ロックウール、テックス（軟質繊維板）、ゴムシート、樹脂シート、等、あるいはこれらに遮音材、耐火材等を含浸、含有、混合、積層（一層、あるいは複数層）、サンドイッチ、等したものを使用することもできる。特に不織布は、縦糸と横糸を交差させて繊維から織物にする従来の方法と異なり、各種の繊維を接着剤等で結合した不織布等である。この不織布はまず繊維が平行に交差するか、また無秩序に配列された薄いフェルト状のものを接着剤で結合させるか、または主体となる繊維状態の中に別の熱可塑性繊維を混在させて、加熱および加圧して溶融し相互に結合させたりして作られたものである。勿論、素材自体に防水性の無いものには、樹脂材をコーティング、あるいは撥水剤、防水コーティング剤、等で防水機能を片面あるいは両面に付加したものである。
【００１２】
垂直片６は、上側に屈曲することにより雪止として機能する部分である。
【００１３】
突出片４ａは、垂直片６の先端を水上側に屈曲して形成したものであり、さらに雪止め機能を強化するために形成した部分である。
【００１４】
以上説明したのは本発明に係る屋根材の一実施例にすぎず、図４（ａ）、（ｂ）〜１０（ａ）、（ｂ）に示すように形成することもできる。
【００１５】
また、Ｆは補強材であり、金属製あるいは合成樹脂製等よりなるものである。
【００１６】
Ｇは裏面材であり、金属材、あるいはアスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート等からなるものである。
【００１７】
Ｐはパッキング材であり、目地部の防水性の強化のために形成するものであり、例えば定型で弾性のあるパッキング材Ｐとしては、例えば発泡ゴム、ポリ塩化ビニル系、クロロプレン系、クロロスルホン化ポリエチレン系、エチレンプロピレン系、アスファルト含浸ポリウレタン系、ＥＰＭ、ＥＰＤＭ等の一般的に市販されているもの、あるいは硬化型のパッキング材Ｐ（シーリング材）としてはシリコーン系（反応硬化型、湿気硬化型）、変成シリコーン系（反応硬化型）、ポリサルファイド系（反応硬化型）、ポリウレタン系（反応硬化型、湿気硬化型）、ＳＢＲ系（乾燥硬化型）、アクリル系（乾燥硬化型）等よりなるものであり、主に防水材、気密材等の機能として有用なものである。勿論、これらの成分中に無機材等の難燃材、あるいは耐火性、防火性を有する例えばポリリン酸アンモニウム、水酸化アルミニウム、フェノール樹脂粒、カーボンブラック、グラファイト（発泡、非発泡）等の難燃材を混入した耐火性のあるパッキング材Ｐを使用しても良いものである。
【００１８】
【発明の効果】
以上説明したように、本発明に係る屋根材によれば、▲１▼垂直片が今までにない外観を呈し、重厚な屋根を形成できる。▲２▼垂直片が雪止めの機能を具備するために、雪止金具施工による雨漏れの心配がない。▲３▼難しい雪止金具の施工がない。または少なくて済む。▲４▼コストの低下が図れる。▲５▼一般的なロール成形で加工された金属製屋根材を、折り曲げだけの簡単な加工で垂直片が形成できる。▲６▼落とし込み構造なので、雪が屋根に積もった際にはその加重により連結部がさらに強固に嵌合する構造であり、防水性、気密性が向上する。等の特徴、効果がある。
【図面の簡単な説明】
【図１】本発明に係る屋根材の代表的一例を示す説明図である。
【図２】本発明に係る屋根材の施工状態を示す説明図である。
【図３】本発明に係る屋根材の施工に使用するジョイナを示す説明図である。
【図４】本発明に係る屋根材のその他の例を示す説明図である。
【図５】本発明に係る屋根材のその他の例を示す説明図である。
【図６】本発明に係る屋根材のその他の例を示す説明図である。
【図７】本発明に係る屋根材のその他の例を示す説明図である。
【図８】本発明に係る屋根材のその他の例を示す説明図である。
【図９】本発明に係る屋根材のその他の例を示す説明図である。
【図１０】本発明に係る屋根材のその他の例を示す説明図である。
【符号の説明】
α  下地
β  固定具
γ  空間
Ａ  屋根材
Ｂ  金属製屋根材
Ｃ  裏打材
Ｄ  ジョイナ
Ｅ  パッキング材
Ｆ  補強材
Ｇ  裏面材
Ｐ  パッキング材
１  垂木
２  野地板
３  防水シート
４  化粧面
４ａ  突出片
５  裏面
６  垂直片
７  差込縁
８  係合溝
９  雄型連結部
１０  嵌合溝
１１  係合兼防水片
１２  固定片
１３  防水片
１４  雌型連結部
１５  係止片
１６  係合片
【図１】
2004225257.tif 000003
【図２】
2004225257.tif 000004
【図３】
2004225257.tif 000005
【図４】
2004225257.tif 000006
【図５】
2004225257.tif 000007
【図６】
2004225257.tif 000008
【図７】
2004225257.tif 000009
【図８】
2004225257.tif 000010
【図９】
2004225257.tif 000011
【図１０】
2004225257.tif 000012